(57)【要約】【課題】構造の簡略化による生産コストの低減と、組付作業および保全作業を容易にすると共に、位置決め効果および防塵効果を向上すること。【解決手段】内壁面にはボール転がり溝に対応する位置決め溝が開設してあり、且つ内壁面がレールの上面に対応する一つのスライダと、前記スライダの位置決め溝に対応し、前記位置決め溝に応じて一体成形されたリップ部が突設してあり、弾力により前記スライダの位置決め溝内に位置決められ、なお、前記リップ部が前記位置決め溝から外側に突出し、前記リップ部が前記スライダの上面に当接する少なくとも一つの撓み可能防塵バンドとを含むことを特徴とする。【選択図】図３
2007255440.tif 000002
【特許請求の範囲】
【請求項１】
内壁面にはボール転がり溝に対応する位置決め溝が開設してあり、且つ内壁面がレールの上面に対応する一つのスライダと、
前記スライダの位置決め溝に対応し、前記位置決め溝に応じて一体成形されたリップ部が突設してあり、弾力により前記スライダの位置決め溝内に位置決められ、なお、前記リップ部が前記位置決め溝から外側に突出し、前記リップ部が前記スライダの上面に当接する少なくとも一つの撓み可能防塵バンドとを含むことを特徴とする、
リニアガイドウェー用スライダ防塵構造。
【請求項２】
前記スライダの内壁面にはサイクルに連続した位置決め溝が開設してあり、前記位置決め溝は、二つの縦溝と、二つの横溝とから構成され、前記縦溝がレールの軸方向に平行し、前記横溝がスライダの端縁の近傍に設けられ、
一つの撓み可能防塵バンドは、閉じた矩形形状を呈し、前記二つの縦溝に応じて一体成形されたリップ部が突設してあることを特徴とする、請求項１に記載のリニアガイドウェー用スライダ防塵構造。
【請求項３】
前記スライダの内壁面にはボール保持部が組付けてあり、位置決め溝の二つの縦溝が前記ボール保持部に対応し開設され、なお、前記位置決め溝の二つの横溝がスライダの端縁にあるエンドプレートに対応し開設されたことを特徴とする、請求項２に記載のリニアガイドウェー用スライダ防塵構造。
【請求項４】
前記スライダの位置決め溝の二つの横溝の下縁には外側に突出した突出部が設けてあり、前記撓み可能防塵バンドが前記突出部に安定に止められることを特徴とする、請求項２又は３に記載のリニアガイドウェー用スライダ防塵構造。
【請求項５】
前記撓み可能防塵バンドは、閉じた形態ではなく、且つ位置決め溝の凹凸部材に応じて凹凸部材が別に成形され、これらの凹凸部材が互いに圧迫し又は嵌めることにより位置決められることを特徴とする、請求項１に記載のリニアガイドウェー用スライダ防塵構造。
【発明の詳細な説明】
【技術分野】
【０００１】
本発明は、リニアガイドウェーに係り、特に、リニアガイドウェー用スライダ防塵構造に関するものである。
【背景技術】
【０００２】
目下、一般のリニアガイドウェーの防塵構造は下記の二つのタイプがある。
【０００３】
その一つ目は、図１に示す米国特許4,918,846号である。それは、スライダの端部に一つのＵ字形金属板１０が螺着してあり、前記Ｕ字形金属板１０はばね鋼をプレス加工によって成形されたものである。防塵片リップ部１１は貼付などの方法により前記金属板１０の両側のエッジに固定される。また金属板１０とスライダの締付作業は、スライダ本体にねじ穴を開けて金属板１０をネジによって位置決める工程と、スライダの外端にニップルを螺着する工程とを含み、防塵片リップ部１１によりホコリや油などのレールの上面への付着を防止することは下記の欠点があった。
【０００４】
（イ）組付作業は複雑であり、多数本のネジによって締付けることが必要であり、更に、ニップルによって金属板１０の一部を締付けることも必要であので、製造コストは高い。
【０００５】
（ロ）従来のもの作製プロセスは、まず、金属板１０をプレスする工程と、スライダ本体にねじ穴を開ける工程と、ネジによって金属板１０をスライダ本体に固定する工程と、防塵片リップ部１１を金属板１０に貼り付ける工程とを含むので、極めて複雑であり、製造コストは高い。
【０００６】
（ハ）防塵片リップ部１１を金属板１０に貼り付けた後、脱落し易いので、撓み可能な材料は使用できなく、だから、従来の防塵片リップ部１１の内側のホコリは依然としてボール保持部に侵入可能である。
【０００７】
（ニ）防塵片リップ部１１と金属板１０の結合方法は貼付を採用するので、保全作業は殆ど実施できなく、修理する場合には、防塵片リップ部１１と金属板１０とを一緒に更新することが必要であり、だが、更新作業は多数のネジを脱着することが必要であるので、保全作業は面倒である。
【０００８】
二つ目は、上記欠点を解決するための米国特許ＵＳ5,871,282号である。これは、ネジ１６によりスライダ１２の上内壁面に一つの金属板１３を締付け、なお、前記金属板１３には一対のリップ部１４が射出成形によって成形してあり、前記リップ部１４は撓み可能な材料を採用し、なお、リップ部１４の射出成形は、より硬い部分を先に金属板１３に射出成形する工程と、スライダ１５の上面に接触する撓み可能な材料を前記より硬い部分に射出成形する工程とを含むが、下記の欠点があった。
【０００９】
（イ）ネジ１６と、金属板１３と、一対のリップ１４とは依然として必要であるので、作製コストは高い。
【００１０】
（ロ）組付作業は簡単になったが、リップ部１４の射出成形は二つの工程を含むので、作製プロセスは依然として複雑である。
【００１１】
（ハ）一対のリップ部１４は射出成形によって金属板１３に成形されたものであるので、保全作業は殆ど実施できなく、修理する場合には、防塵片リップ部１４と金属板１３とを一緒に更新することが必要であり、更新作業には多数の工具を使用することが必要であるので、保全作業は面倒である。
【発明の開示】
【発明が解決しようとする課題】
【００１２】
本発明の主な目的は、構造が簡単になり、生産コストが低いリニアガイドウェー用スライダ防塵構造を提供することにある。
【００１３】
本発明の次の目的は、組付け作業および保全作業が容易になるリニアガイドウェー用スライダ防塵構造を提供することにある。
【００１４】
本発明の別の目的は、位置決め効果および防塵効果が向上になるリニアガイドウェー用スライダ防塵構造を提供することにある。
【課題を解決するための手段】
【００１５】
上記目的を達成するためになされた本願の発明は、内壁面にはボール転がり溝に対応する位置決め溝が開設してあり、且つ内壁面がレールの上面に対応する一つのスライダと、前記スライダの位置決め溝に対応し、前記位置決め溝に応じて一体成形されたリップ部が突設してあり、弾力により前記スライダの位置決め溝内に位置決められ、なお、前記リップ部が前記位置決め溝から外側に突出し、前記リップ部が前記スライダの上面に当接する少なくとも一つの撓み可能防塵バンドとを含むことを特徴とするリニアガイドウェー用スライダ防塵構造であることを要旨としている。
【００１６】
本願の発明では、前記スライダの内壁面にはサイクルに連続した位置決め溝が開設してあり、前記位置決め溝は、二つの縦溝と、二つの横溝とから構成され、前記縦溝がレールの軸方向に平行し、前記横溝がスライダの端縁の近傍に設けられ、一つの撓み可能防塵バンドは、閉じた矩形形状を呈し、前記二つの縦溝に応じて一体成形されたリップ部が突設してあることを特徴とする請求項１に記載のリニアガイドウェー用スライダ防塵構造であることを要旨としている。
【００１７】
本願の発明では、前記スライダの内壁面にはボール保持部が組付けてあり、位置決め溝の二つの縦溝が前記ボール保持部に対応し開設され、なお、前記位置決め溝の二つの横溝がスライダの端縁にあるエンドプレートに対応し開設されたことを特徴とする請求項２に記載のリニアガイドウェー用スライダ防塵構造であることを要旨としている。
【００１８】
本願の発明では、前記スライダの位置決め溝の二つの横溝の下縁には外側に突出した突出部が設けてあり、前記撓み可能防塵バンドが前記突出部に安定に止められることを特徴とする請求項２又は３に記載のリニアガイドウェー用スライダ防塵構造であることを要旨としている。
【００１９】
本願の発明では、前記撓み可能防塵バンドは、閉じた形態ではなく、且つ位置決め溝の凹凸部材に応じて凹凸部材が別に成形され、これらの凹凸部材が互いに圧迫し又は嵌めることにより位置決められることを特徴とする請求項１に記載のリニアガイドウェー用スライダ防塵構造であることを要旨としている。
【発明の効果】
【００２０】
本発明に係るリニアガイドウェー用スライダ防塵構造によれば、構造が簡単になり、生産コストが低く、組付け作業および保全作業が容易になり、且つ位置決め効果および防塵効果が向上する、という特有の効果がある。
【発明を実施するための最良の形態】
【００２１】
以下、添付図面を参照して本発明の好適な実施の形態を詳細に説明する。
【００２２】
まず、図３乃至図６を参照する。本発明に係るリニアガイドウェー用スライダ防塵構造は、主にスライダ２０の内壁面２１に組み付けられ、前記スライダ２０がレールに移動可能に設けられ、前記内壁面２１がレール４０の上面４１に対応する。
【００２３】
スライダ２０の内壁面２１にはボール保持部２２が組付けてあり、前記ボール保持部２２にはボール転がり溝２３に対応しサイクルに連続した位置決め溝２４が開設してあり、前記位置決め溝２４は、二つの縦溝２４１と、二つの横溝２４２とから構成され、前記縦溝がレール２４１の軸方向に平行し、前記横溝２４２がスライダ２０の端縁の近傍に設けられ、前記横溝２４２の下縁には外側に突出した突出部２４３が設けてある。
【００２４】
前記撓み可能防塵バンド３０は、閉じた矩形形状を呈し、その長さ及びバンド幅がスライダ２０の位置決め溝２４に対応している。
また、スライダ２０の前記二つの縦溝２４１に応じて一体成形されたリップ部３１が突設してあり、弾性力により前記撓み可能防塵バンド３０がスライダ２０の位置決め溝２４に圧迫する。
また、前記撓み可能防塵バンド３０のリップ部３１は、二つの縦溝２４１から外側に突出し、レール４０の上面４１に当接する。
また、前記撓み可能防塵バンド３０は、二つの横溝２４２内に設けられ、前記横溝２４２の下縁にある突出部２４３に安定に止められ、これにより、前記撓み可能防塵バンド３０は脱落しなくなる。
【００２５】
また、前記撓み可能防塵バンド３０は、閉じた矩形形状を呈しないものでも、スライダ２０の位置決め溝２４内に位置決められることが可能である。その位置決め方式は、前記撓み可能防塵バンドには位置決め溝２４の凹凸部材に応じて凹凸部材が別に成形される。
これらの凹凸部材が互いに圧迫し又は嵌めることにより位置決めされる。すなわち、撓み可能防塵バンド３０が位置決め溝２４から容易に脱落しない構造である限り、これらの構造は全て本発明の特許請求範囲に属する。
【００２６】
また、本発明では、スライダ２０の位置決め溝２４は、必要に応じて、内壁面２１、ボール保持部２２またはエンドプレート２５となどに設けてもよい。
すなわち、位置決め溝２４がスライダ２０の壁面に設けられレール４０に当接する構造である限り、これらの構造は全て本発明の特許請求範囲に属する。
【００２７】
次に、図３と図６を参照して本発明の動作を説明する。図３は本発明の組合状態の概略図であり、図６は本発明に係るスライダ防塵構造の組合状態の斜視図である。
【００２８】
本発明では、エンドプレート２５とボール保持部２２とには、サイクルに連続した位置決め溝２４が設けてあり、前記位置決め溝２４は、二つの縦溝２４１と、二つの横溝２４２とから構成される。
そのため、縦溝２４１により撓み可能防塵バンド３０の横方向への移動が規制され、横溝２４２により撓み可能防塵バンド３０の縦方向への移動が規制され、横溝２４２の下縁にある突出部２４３により撓み可能防塵バンド３０が安定に止められる。そうすると、撓み可能防塵バンド３０は脱落しなくなる。
【００２９】
また、弾性材質を採用することにより、撓み可能防塵バンド３０の組付作業において、工具を一切使用しなくて済む。図６に示すように、撓み可能防塵バンド３０を広がらせて位置決め溝２４に嵌め込むだけで組付作業が完成した。
また、組付けられたリップ部３１がレール４０の上面４１に当接することにより、ホコリや油など異物がレール４０の上面４１からボール転がり溝２３に侵入することを防止できので、本発明に係るリニアガイドウェー用スライダ防塵構造によれば、製品の使用寿命はもっと長く延びる効果がある。
【００３０】
特に、本発明では、スライダの内壁面にボール転がり溝に対応する位置決め溝を設けて、リップ部を有する撓み可能防塵バンドを前記位置決め溝内に固定するだけで、リップ部により、レールの上面にある油が排除され、異物がレールの上面からボール転がり溝に侵入することを防止できるので、本発明に係るリニアガイドウェー用スライダ防塵構造によれば、構造が簡単になり、生産コストが低くなるという効果がある。
【図面の簡単な説明】
【００３１】
【図１】従来の防塵用Ｕ字形金属板の斜視図である。
【図２】従来のものの組合状態の概略図である。
【図３】本発明の組合状態の概略図である。
【図４】本発明に係るスライダの内壁の構造を示す斜視図である。
【図５】本発明に係る撓み可能防塵バンドを示す斜視図である。
【図６】本発明に係るスライダ防塵構造の組合状態の斜視図である。
【符号の説明】
【００３２】
１０      金属板                  １１      防塵片リップ部
１２      スライダ                １３      金属板
１４      リップ部                １５      レール
１６      ネジ                    ２０      スライダ
２１      内壁面                  ２２      ボール保持部
２３      ボール転がり溝          ２４      位置決め溝
２４１    縦溝                    ２４２    横溝
２４３    突出部                  ２５      エンドプレート
３０      撓み可能防塵バンド      ４０      レール
４１      上面
【図１】
2007255440.tif 000003
【図２】
2007255440.tif 000004
【図３】
2007255440.tif 000005
【図４】
2007255440.tif 000006
【図５】
2007255440.tif 000007
【図６】
2007255440.tif 000008